(57)【特許請求の範囲】
【請求項１】
ＬＴＥ−アドバンストシステムの第１のワイヤレス通信セルでの通信において、キャリヤアグリゲーションの、それぞれ、主コンポーネントキャリヤおよび副コンポーネントキャリヤとして通信デバイスによって利用される前記第１のワイヤレス通信セルの第１のコンポーネントキャリヤおよび第２のコンポーネントキャリヤのチャネル状態を監視すること、および
第２のワイヤレス通信セルの対応する第１のコンポーネントキャリヤのチャネル状態より小さい前記第１のワイヤレス通信セルの前記第１のコンポーネントキャリヤのチャネル状態に応答して、前記第１のワイヤレス通信セルでの通信において前記通信デバイスによる前記第２のコンポーネントキャリヤの利用を維持しながら、前記第１のワイヤレス通信セルでの通信において前記第１のコンポーネントキャリヤを前記通信デバイスによる利用から解除することと、
前記第１のワイヤレス通信セルでの通信において前記通信デバイスに主コンポーネントキャリヤとして前記第２のコンポーネントキャリヤを割り当て、前記第２のワイヤレス通信セルでの通信において前記通信デバイスに主コンポーネントキャリヤとして前記第２のワイヤレス通信セルの前記第１のコンポーネントキャリヤを割り当てることと、
を含み、
前記通信デバイスによる前記第２のワイヤレス通信セルでの通信における前記主コンポーネントキャリヤとしての前記第１のコンポーネントキャリヤの利用は、前記通信デバイスによる前記第１のワイヤレス通信セルでの通信における前記主コンポーネントキャリヤとしての前記第２のコンポーネントキャリヤの利用と、同時に行われる、方法。
【請求項２】
通信デバイスによって利用されない第１のワイヤレス通信セルの複数のコンポーネントキャリヤのチャネル状態を監視すること、および
第２のワイヤレス通信セルの第１のコンポーネントキャリヤが、前記第２のワイヤレス通信セルの前記第１のコンポーネントキャリヤのチャネル状態より大きい前記第１のワイヤレス通信セルの前記複数のコンポーネントキャリヤの第１のコンポーネントキャリヤのチャネル状態に応答して、前記第２のワイヤレス通信セルでの通信において前記通信デバイスによる利用から解除されることに従って、前記第１のワイヤレス通信セルでの通信において前記第１のワイヤレス通信セルの前記複数のコンポーネントキャリヤの前記第１のコンポーネントキャリヤを前記通信デバイスによる利用に割り当てることを含み、
前記第１のワイヤレス通信セルでの通信において前記第１のワイヤレス通信セルの前記複数のコンポーネントキャリヤの前記第１のコンポーネントキャリヤを前記通信デバイスによる利用に割り当てることは、前記第１のワイヤレス通信セルでの通信において主コンポーネントキャリヤとして前記第１のワイヤレス通信セルの前記複数のコンポーネントキャリヤの前記第１のコンポーネントキャリヤを前記通信デバイスによる利用に割り当てることを含み、
前記通信デバイスによる前記第２のワイヤレス通信セルでの通信における主コンポーネントキャリヤとしての前記第２のワイヤレス通信セルの第２のコンポーネントキャリヤの利用は、前記通信デバイスによる前記第１のワイヤレス通信セルでの通信における前記主コンポーネントキャリヤとしての前記第１のワイヤレス通信セルの前記複数のコンポーネントキャリヤの前記第１のコンポーネントキャリヤの利用と、同時に行われる、
方法。
【請求項３】
前記第２のワイヤレス通信セルの第２のコンポーネントキャリヤが、前記第２のワイヤレス通信セルの前記第２のコンポーネントキャリヤのチャネル状態より大きい前記第１のワイヤレス通信セルの前記複数のコンポーネントキャリヤの第２のコンポーネントキャリヤのチャネル状態に応答して、前記通信デバイスによる利用から解除されることに従って、前記第１のワイヤレス通信セルの前記複数のコンポーネントキャリヤの前記第２のコンポーネントキャリヤを前記通信デバイスによる利用に割り当てることをさらに含む、請求項２に記載の方法。
【請求項４】
前記第１のワイヤレス通信セルの前記複数のコンポーネントキャリヤの前記第２のコンポーネントキャリヤを前記通信デバイスによる利用に前記割り当てることが、前記第１のワイヤレス通信セルの前記複数のコンポーネントキャリヤの前記第２のコンポーネントキャリヤを前記第１のワイヤレス通信セルでの通信において副コンポーネントキャリヤとして前記通信デバイスによる利用に割り当てることを含む、請求項３に記載の方法。
【請求項５】
実行されたとき１つまたは複数のプロセッサに
ＬＴＥ−アドバンストシステムの第１のワイヤレス通信セルの複数のコンポーネントキャリヤのチャネル状態を監視することであって、
前記第１のワイヤレス通信セルでの通信において、前記複数のコンポーネントキャリヤの第１のコンポーネントキャリヤが、主コンポーネントキャリヤとして通信デバイスによって利用され、
前記第１のワイヤレス通信セルでの通信において、前記複数のコンポーネントキャリヤの第２のコンポーネントキャリヤが、副コンポーネントキャリヤとして前記通信デバイスによって利用される、監視すること、
第２のワイヤレス通信セルの複数のコンポーネントキャリヤのチャネル状態を監視すること、および
前記第２のワイヤレス通信セルの第１のコンポーネントキャリヤのチャネル状態より小さい前記第１のワイヤレス通信セルの前記第１のコンポーネントキャリヤのチャネル状態に応答して、前記第１のワイヤレス通信セルでの通信において前記通信デバイスによる前記第１のワイヤレス通信セルの前記第２のコンポーネントキャリヤの利用を維持しながら、前記第１のワイヤレス通信セルの前記第１のコンポーネントキャリヤから前記第２のワイヤレス通信セルの前記複数のコンポーネントキャリヤの前記第１のコンポーネントキャリヤに切り替えることを含む動作を実施させる命令を格納し、
前記切り替えることは、
前記第２のワイヤレス通信セルの前記第１のコンポーネントキャリヤのチャネル状態より小さい前記第１のワイヤレス通信セルの前記第１のコンポーネントキャリヤのチャネル状態に応答して、前記第１のワイヤレス通信セルでの通信において前記通信デバイスによる前記第２のコンポーネントキャリヤの利用を維持しながら、前記第１のワイヤレス通信セルでの通信において前記第１のコンポーネントキャリヤを前記通信デバイスによる利用から解除することと、
前記第１のワイヤレス通信セルでの通信において前記通信デバイスに主コンポーネントキャリヤとして前記第２のコンポーネントキャリヤを割り当て、前記第２のワイヤレス通信セルでの通信において前記通信デバイスに主コンポーネントキャリヤとして前記第２のワイヤレス通信セルの前記第１のコンポーネントキャリヤを割り当てることと、
を含み、
前記通信デバイスによる前記第２のワイヤレス通信セルでの通信における前記主コンポーネントキャリヤとしての前記第１のコンポーネントキャリヤの利用は、前記通信デバイスによる前記第１のワイヤレス通信セルでの通信における前記主コンポーネントキャリヤとしての前記第２のコンポーネントキャリヤの利用と、同時に行われる、
コンピュータ可読媒体。
【請求項６】
前記動作が、
前記第２のワイヤレス通信セルの対応する第２のコンポーネントキャリヤのチャネル状態より小さい前記第１のワイヤレス通信セルの前記第２のコンポーネントキャリヤのチャネル状態に応答して、前記第１のワイヤレス通信セルでの通信において前記通信デバイスによる前記第１のコンポーネントキャリヤの利用を維持しながら、前記第１のワイヤレス通信セルでの通信において前記第２のコンポーネントキャリヤを前記通信デバイスによって利用されることから解除すること、および
前記第１のワイヤレス通信セルでの通信において、前記第１のコンポーネントキャリヤを前記主コンポーネントキャリヤとして前記通信デバイスのために維持することをさらに含む、請求項５に記載のコンピュータ可読媒体。
【請求項７】
前記動作が、
前記第２のワイヤレス通信セルでの通信において前記第２のワイヤレス通信セルの前記第２のコンポーネントキャリヤを主コンポーネントキャリヤとして前記通信デバイスに割り当てることをさらに含む、請求項６に記載のコンピュータ可読媒体。
【請求項８】
前記動作が、
前記第２のワイヤレス通信セルの前記複数のコンポーネントキャリヤの前記第２のコンポーネントキャリヤのチャネル状態より小さい前記第１のワイヤレス通信セルの前記第２のコンポーネントキャリヤのチャネル状態に応答して前記第１のワイヤレス通信セルの前記第２のコンポーネントキャリヤから前記第２のワイヤレス通信セルの前記複数のコンポーネントキャリヤの前記第２のコンポーネントキャリヤにさらに切り替えることをさらに含む、請求項５に記載のコンピュータ可読媒体。
【請求項９】
プロセッサ実行可能命令の組が格納されるメモリと、
前記メモリに結合されたプロセッサであって、前記プロセッサ実行可能命令の組を実行すると、
ＬＴＥ−アドバンストシステムの第１のワイヤレス通信セルの複数のコンポーネントキャリヤのチャネル状態を監視すること、および
第２のワイヤレス通信セルの第１のコンポーネントキャリヤのチャネル状態より小さい前記第１のワイヤレス通信セルの前記複数のコンポーネントキャリヤの第１のコンポーネントキャリヤのチャネル状態に応答して、前記第１のワイヤレス通信セルでの通信において第１の通信デバイスによる前記第１のワイヤレス通信セルの前記複数のコンポーネントキャリヤの第２のコンポーネントキャリヤの利用を維持しながら、前記第１のワイヤレス通信セルでの通信において前記第１のワイヤレス通信セルの前記複数のコンポーネントキャリヤの第１のコンポーネントキャリヤを主コンポーネントキャリヤとして前記第１の通信デバイスによって利用されることから解除すること、
を実施することを含む動作を実施するプロセッサとを含み、
前記解除することは、前記第１のワイヤレス通信セルでの通信において前記第１のワイヤレス通信セルの前記複数のコンポーネントキャリヤの前記第２のコンポーネントキャリヤを主コンポーネントキャリヤとして前記第１の通信デバイスによる利用に割り当てることを含み、前記第２のワイヤレス通信セルの前記第１のコンポーネントキャリヤは前記第２のワイヤレス通信セルでの通信において前記第１の通信デバイスに主コンポーネントキャリヤとして割り当てられ、
前記第１の通信デバイスによる前記第２のワイヤレス通信セルでの通信における前記主コンポーネントキャリヤとしての前記第１のコンポーネントキャリヤの利用は、前記第１の通信デバイスによる前記第１のワイヤレス通信セルでの通信における前記主コンポーネントキャリヤとしての前記第２のコンポーネントキャリヤの利用と、同時に行われる、
装置。
【請求項１０】
前記第１のワイヤレス通信セルでの通信において前記第１の通信デバイスによる前記第１のワイヤレス通信セルの前記複数のコンポーネントキャリヤの前記第２のコンポーネントキャリヤの利用を維持しながら前記第１のワイヤレス通信セルの前記複数のコンポーネントキャリヤの前記第１のコンポーネントキャリヤを前記第１の通信デバイスによって利用されることから解除することが、
前記第１のワイヤレス通信セルでの通信において主コンポーネントキャリヤとして前記第１の通信デバイスによる前記第１のワイヤレス通信セルの前記第２のコンポーネントキャリヤの利用を維持しながら前記第１のワイヤレス通信セルの前記第１のコンポーネントキャリヤを前記第１のワイヤレス通信セルでの通信において副コンポーネントキャリヤとして前記第１の通信デバイスによって利用されることから解除することを含む、請求項９に記載の装置。
【請求項１１】
前記第２のワイヤレス通信セルの前記第１のコンポーネントキャリヤが、前記第２のワイヤレス通信セルでの通信において前記主コンポーネントキャリヤとして前記第１の通信デバイスに割り当てられる、請求項１０に記載の装置。
【請求項１２】
プロセッサ実行可能命令の組を実行すると前記プロセッサが、
前記第２のワイヤレス通信セルの第２のコンポーネントキャリヤのチャネル状態より小さい前記第１のワイヤレス通信セルの前記第２のコンポーネントキャリヤのチャネル状態に応答して、前記第１のワイヤレス通信セルでの通信において前記第１のワイヤレス通信セルの前記複数のコンポーネントキャリヤの前記第２のコンポーネントキャリヤを前記第１の通信デバイスによって利用されることから解除することを含む動作をさらに実施する、請求項９に記載の装置。
【請求項１３】
プロセッサ実行可能命令の組を実行すると前記プロセッサが、
前記第２のワイヤレス通信セルの第４のコンポーネントキャリヤのチャネル状態より大きい前記第１のワイヤレス通信セルの前記第４のコンポーネントキャリヤのチャネル状態に応答して前記第２のワイヤレス通信セルでの通信において前記第２のワイヤレス通信セルの前記第４のコンポーネントキャリヤが第２の通信デバイスによって利用されることから解除されることに基づいて、前記第１のワイヤレス通信セルでの通信において前記第１のワイヤレス通信セルの前記複数のコンポーネントキャリヤの前記第４のコンポーネントキャリヤを前記第２の通信デバイスによる利用に割り当てることを含む動作をさらに実施する、請求項９に記載の装置。
【請求項１４】
プロセッサ実行可能命令の組を実行すると前記プロセッサが、
前記第２のワイヤレス通信セルの第３のコンポーネントキャリヤのチャネル状態より大きい前記第１のワイヤレス通信セルの前記第３のコンポーネントキャリヤのチャネル状態に応答して前記第２のワイヤレス通信セルの前記第３のコンポーネントキャリヤが第２の通信デバイスによって利用されることから解除されることに基づいて、前記第１のワイヤレス通信セルの前記複数のコンポーネントキャリヤの前記第３のコンポーネントキャリヤを前記第２の通信デバイスによる利用に割り当てることを含む動作をさらに実施する、請求項９に記載の装置。
【発明の詳細な説明】
【背景技術】
【０００１】
ＬＴＥアドバンスト、ＬＴＥ−アドバンストまたはＬＴＥ−Ａとも呼ばれるロングタームエボリューションアドバンスト規格は、第３世代パートナーシッププロジェクト（３ＧＰＰ）によってＬＴＥ規格の主要強化として採用された移動通信規格である。ＬＴＥ−アドバンストシステムにおいて、ユーザが多重コンポーネントキャリヤを通じてデータを送信し、同時にＬＴＥ規格に基づくシステムとの良好な適合性を維持することができることを確実にするように、キャリヤアグリゲーション技術が、システムのピーク速度を改善するためおよび最大１００ＭＨｚまでの広帯域通信を支持するために使用される。
【０００２】
セルラー移動通信システムにおいて、ユーザが第１の基地局に関連したセルＡによって扱われる第１の領域から第２の基地局に関連したセルＢによって扱われる第２の領域に移動するとき、ユーザに受信された信号の強度が最小許容レベルを超えて維持されることを確実にするためにセル交換（「ハンドオーバ」または「ハンドオフ」とも呼ばれる）が必要とされる。セル交換が所与のユーザに対して行われる時を決定する従来のセル交換戦略は、一般に受信電力に基づいており、交換閾値を最小許容信号強度よりわずかに高く設定する。このようにして、従来の戦略により、減衰した信号が通信を妨害する前にセル交換が完了し、その間不要な交換を避けることが確実になる。
【０００３】
しかし、ユーザが所与の時点で１つのセルから別のセルに切り替えるかどうかを判断する基礎がユーザに受信された信号の強度であるので、従来のセル交換戦略には問題がある。キャリヤアグリゲーションの関係において、異なるコンポーネントキャリヤ上の経路損失、シャドーフェーディングおよび小規模のフェーディングは、ＬＴＥ−アドバンスト規格に基づいて利用される様々なコンポーネントキャリヤによって異なる。これにより、異なるコンポーネントキャリヤの信号強度間に顕著な相違がもたらされる。したがって、従来のセル交換戦略に従ってユーザに受信される全信号強度に基づくセル交換は、キャリヤアグリゲーションを実施したときに不可能ではないにしても非実用的である。
【発明の概要】
【課題を解決するための手段】
【０００４】
本明細書に説明するのは、キャリヤアグリゲーション技術に基づくＬＴＥ−アドバンストシステムのためのセル交換に関連したシステム、装置、方法、および技法である。少なくとも１つの態様において、方法は、キャリヤアグリゲーションの、それぞれ、主コンポーネントキャリヤおよび副コンポーネントキャリヤとして通信デバイスによって利用される第１のワイヤレス通信セルの第１のコンポーネントキャリヤおよび第２のコンポーネントキャリヤのチャネル状態を監視することができる。方法は、さらに、第２のワイヤレス通信セルの対応するコンポーネントキャリヤのチャネル状態より小さい第１および第２のコンポーネントキャリヤの一方のチャネル状態に応答して通信デバイスによる第１および第２のコンポーネントキャリヤの他方の利用を維持しながら第１および第２のコンポーネントキャリヤの一方を通信デバイスによって利用されることから解除することができる。
【０００５】
この発明の概要は、特許請求の範囲または特許請求の範囲の意味を解釈しまたは限定するために使用されないとの理解で提出される。この発明の概要は、特許請求される主題の主な特徴または必須の特徴を識別することを意図していないし、特許請求される主題の範囲を決定する手助けとして使用されることも意図していない。
【０００６】
以下に続く詳細な説明において、以下の詳細な説明から当業者には様々な変更および修正が明らかになるので、実施形態は例示だけとして説明される。異なる図における同じ参照番号の使用は、同様のまたは同一の品目を示す。
【図面の簡単な説明】
【０００７】
【図１】キャリヤアグリゲーション技術に基づくＬＴＥ−アドバンストシステムのためのセル交換戦略の１つまたは複数の実施形態を実施するセルラー移動通信システムの一例を示す図である。
【図２】キャリヤアグリゲーション技術に基づくＬＴＥ−アドバンストシステムのためのセル交換戦略の１つまたは複数の実施形態による処理フローを示す図である。
【図３】キャリヤアグリゲーション技術に基づくＬＴＥ−アドバンストシステムのためのセル交換戦略の１つまたは複数の実施形態による別の処理フローを示す図である。
【図４】キャリヤアグリゲーション技術に基づくＬＴＥ−アドバンストシステムのためのセル交換戦略の１つまたは複数の実施形態によるさらに別の処理フローを示す図である。
【図５】キャリヤアグリゲーション技術に基づくＬＴＥ−アドバンストシステムのためのセル交換戦略の１つまたは複数の実施形態による他の処理フローを示す図である。
【図６】キャリヤアグリゲーション技術に基づくＬＴＥ−アドバンストシステムのためのセル交換戦略の１つまたは複数の実施形態の動作を実施するように構成されるコンピューティングデバイスの一例を示す図である。
【発明を実施するための形態】
【０００８】
以下の詳細な説明において、説明の一部を形成する添付の図面を参照する。図面において、文脈に他の指示がない限り、同様の記号は通常同様の構成部品を識別する。さらに、特に断りのない限り、各々の連続する図面の説明は、本実施形態の例のより明確な文脈およびより実質的な説明を提供するために前の図面の１つまたは複数からの特徴を参照することができる。さらに、詳細な説明、図面、および特許請求の範囲に説明される実施形態の例は、限定することを意味していない。本明細書に提示される主題の精神または範囲から逸脱することなく、他の実施形態を利用することができ、かつ他の変更を加えることができる。本開示の態様は、本明細書に全体的に説明するように、および図に示すように、実に様々な異なる構成に配列し、置換し、組み合せ、分離し、かつ設計できることが容易に理解されるであろうし、そのすべては本明細書に明示的に企図されている。
【０００９】
本明細書に説明するのは、キャリヤアグリゲーション技術に基づくＬＴＥ−アドバンストシステムのためのセル交換に関係した技法である。本明細書に説明するセル交換の実施は、ユーザの通信に利用されるすべてのコンポーネントキャリヤのチャネル状態を監視することを含む。セル交換戦略は、より良好なチャネル品質を有する他のコンポーネントキャリヤのセルを維持しながら比較的より弱い信号強度を有するコンポーネントキャリヤの１つまたは複数に対してセルを交換することを求める。さらに、セル交換戦略は、チャネル状態を監視することによってハンドオーバの問題に対処する。より具体的には、各コンポーネントキャリヤのハンドオーバは、周波数選択性フェージングを考慮して、個々に実行される。すなわち、セル交換戦略は、周波数選択性フェージングがワイヤレスネットワークにおいて果たす重要な役割を考慮に入れ、したがって、キャリヤアグリゲーションのコンポーネントキャリヤに対してハンドオーバ手順を個々に実行する。
【００１０】
概要
図１は、本開示によるキャリヤアグリゲーション技術に基づくＬＴＥ−アドバンストシステムのためのセル交換戦略を実施するためのセルラー移動通信システムの一例１００を示す。
【００１１】
システム１００は、第１の基地局１１０と、第１の基地局１１０に関連したセルＡ１１５と、第２の基地局１２０と、第２の基地局１２０に関連したセルＢ１２５と、ＬＴＥ−アドバンストユーザ機器１３０とを含む。以下では、「ユーザ」および「ユーザ機器」という用語は、互換可能に用いることができる。
【００１２】
ＬＴＥ−アドバンスト規格によれば、コンポーネントキャリヤは、主コンポーネントキャリヤ（ＰＣＣ）または副コンポーネントキャリヤ（ＳＣＣ）のいずれかに分類される。キャリヤアグリゲーション技術を実施するＬＴＥ−アドバンストシステムにおける所与のユーザには、アグリゲーションされたコンポーネントキャリヤの１つがユーザのＰＣＣであり、一方、アグリゲーションされたコンポーネントキャリヤの他の１つがＳＣＣである。本明細書に説明するセル交換戦略の実施形態は、常にＰＣＣに関するシステム情報を監視することおよびＰＣＣおよびＳＣＣを同時にスケジュールすることを求める。
【００１３】
例示のためだけとして、図１のシステム１００において、コンポーネントキャリヤ１（ＣＣ１）はＰＣＣであり、コンポーネントキャリヤ２（ＣＣ２）はＳＣＣである。ユーザ１３０は、ＣＣ１およびＣＣ２上でデータを同時に送信する。例において、ユーザ機器１３０は、当初は、ＣＣ１上およびＣＣ２上の両方でセルＡ１１５と通信し、その間セルＡ１１５から離れセルＢ１２５に向かって移動する。ユーザ機器１３０がセルＡ１１５のセル端にならびにセルＢ１２５のセル端に移動するとき、セル交換戦略は、ユーザ機器１３０のために、セルを例えば、セルＡ１１５からセルＢ１２５に切り替えるのかどうか、およびセルをいつ切り替えるのかを判断することを求める。セルＡ１１５からユーザ機器１３０へのＣＣ１のチャネル状態はｈＡ，１として示し、セルＡ１１５からユーザ機器１３０へのＣＣ２のチャネル状態はｈＡ，２として示す。同様にセルＢ１２５からユーザ機器１３０へのＣＣ１のチャネル状態はｈＢ，１として示し、セルＢ１２５からユーザ機器１３０へのＣＣ２のチャネル状態は、ｈＢ，２として示す。セルＡ１１５およびセルＢ１２５のどちらかまたは両方に１つより多いＳＣＣがあるようにセルＡ１１５およびセルＢ１２５の各々に１つまたは複数の追加のコンポーネントキャリヤがあり得るが、本明細書は、セルＡ１１５およびセルＢ１２５に対して、ＣＣ１およびＣＣ２の２つのコンポーネントキャリヤを対象とするものである。開示する実施形態は、セル内に１つより多いＳＣＣがある場合に適用することができることが当業者には理解されよう。以下では、「チャネル状態」という用語は、信号が送信機から受信機に伝搬する通信媒体の状態を表し、信号は、例えば、距離に応じた散乱、フェージングおよび電力減衰の複合作用を受ける。
【００１４】
ユーザ機器１３０が全体的にセルＡ１１５から離れセルＢ１２５に向かって移動し続けるのにつれて、セルＡ１１５およびセルＢ１２５に対してＣＣ１およびＣＣ２のチャネル状態がそれに応じて変化する。したがって、セルＡ１１５からユーザ機器１３０へのＣＣ１のチャネル状態ｈＡ，１およびセルＡ１１５からユーザ機器１３０へのＣＣ２のチャネル状態ｈＡ，２の少なくとも一方は、それぞれ、セルＢ１２５からユーザ機器１３０へのＣＣ１および／またはＣＣ２のそれぞれのチャネル状態ｈＢ，１およびｈＢ，２より悪いポイントまで低下する。例えば、セルＡ１１５からユーザ機器１３０へのＣＣ１のチャネル状態がセルＢ１２５からユーザ機器１３０へのＣＣ１のチャネル状態より悪い時点になることがあり、これを｜ｈＡ，１｜＜｜ｈＢ，１｜として示し、その間セルＡ１１５からユーザ機器１３０へのＣＣ２のチャネル状態がセルＢ１２５からユーザ機器１３０へのＣＣ２のチャネル状態より依然良い時点になることがあり、これを｜ｈＡ，２｜＞｜ｈＢ，２｜として示す。本開示のセル交換戦略によれば、ユーザ機器１３０は、ＣＣ２上でセルＡ１１５とのデータ送信を維持し、ＣＣ１をセルＢ１２５に切り替える。すなわち、ユーザ機器１３０は、ＣＣ２上でセルＡ１１５とおよびＣＣ１上でセルＢ１２５と同時に通信する。したがって、ある一定の利得をシステム性能の点で達成することができる。より具体的には、セルＡ１１５の観点からは、ＣＣ２がユーザ機器１３０のＰＣＣであり、セルＢ１２５の観点からは、ＣＣ１がユーザ機器１３０のＰＣＣである。本開示によるセル交換戦略は、ＣＣ１およびＣＣ２上の、それぞれ、セルＡ１１５およびセルＢ１２５のシステム情報を監視する。
【００１５】
上記の例を続けると、ユーザ機器１３０が引き続きセルＡ１１５から離れセルＢ１２５に向かって移動するとき、チャネル状態は最終的に、セルＡ１１５からユーザ機器１３０へのＣＣ１のチャネル状態がセルＢ１２５からユーザ機器１３０へのＣＣ１のチャネル状態より悪いポイントに達することがあり、これを｜ｈＡ，１｜＜｜ｈＢ，１｜として示し、その間セルＡ１１５からユーザ機器１３０へのＣＣ２のチャネル状態もセルＢ１２５からユーザ機器１３０へのＣＣ２のチャネル状態より悪いポイントに達することがあり、これを｜ｈＡ，２｜＜｜ｈＢ，２｜として示す。このときに、本開示によるセル交換戦略は、ＣＣ２をセルＢ１２５に切り替える。言い換えれば、このときに、ユーザ機器１３０は、ＣＣ１上およびＣＣ２上の両方でセルＢ１２５と通信し、ＣＣ２はＰＣＣとして働き、ＣＣ１はＳＣＣとして働く。
【００１６】
セル交換戦略に関係した技法および利点を次に説明する。ＬＴＥ−アドバンストユーザ（例えば、ユーザ機器１３０）が元の基地局（例えば、上記の例では基地局１１０）のセル端および／または隣接する基地局（例えば、上記の例では基地局１２０）のセル端に移動したとき、両方の基地局によって提供され、ユーザによって利用されるすべてのコンポーネントキャリヤのチャネル状態が測定される。コンポーネントキャリヤ１、２、３、．．．、ｋには、元の基地局のコンポーネントキャリヤのチャネル状態がｈＡ，１、ｈＡ，２、ｈＡ，３、．．．ｈＡ，ｋとして示され、隣接する基地局のコンポーネントキャリヤのチャネル状態がｈＢ，１、ｈＢ，２、ｈＢ，３、．．．ｈＢ，ｋとして示される。２つの基地局のすべてのコンポーネントキャリヤのチャネル状態が比較される。情報理論によれば、キャリヤｉの場合、｜ｈＡ，ｉ｜＞｜ｈＢ，ｉ｜ならば、ユーザはコンポーネントキャリヤｉ上でセルＡからセルＢに切り替えない。あるいは、｜ｈＡ，ｉ｜＜｜ｈＢ，ｉ｜ならば、ユーザはコンポーネントキャリヤｉ上でセルＡからセルＢに切り替える。
【００１７】
高レベル処理により、ｎＡコンポーネントキャリヤは引き続き元のセル（例えば、セルＡ１１５）と通信し、その場合、コンポーネントキャリヤの番号は、ａ１、ａ２、．．．、ａｎＡであり、ｎＢのコンポーネントキャリヤが隣接するセル（例えば、セルＢ１２５）に切り替え、その場合コンポーネントキャリヤの番号はｂ１、ｂ２、．．．、ｂｎＢである。このときに、システム容量は、次式で表すことができる。
【００１８】
【数１】
0006006415.tif 000002
【００１９】
ここで、Ｂｉはｉ番目のコンポーネントキャリヤの帯域幅である。
【００２０】
有利には、本開示によるセル交換戦略により、隣接するセルおよび元のセルは、それぞれ、信号をコンポーネントキャリヤｎＢおよびｎＡ上で送信することができる。したがって、セル端におけるユーザの性能を高めるように、より多くの信号送信電力を各コンポーネントキャリヤに割り当てることができる。
【００２１】
信号送信電力の点において、本開示によるセル交換戦略の下で、ｎＡコンポーネントキャリヤが引き続き元のセルと通信し、ｎＢコンポーネントキャリヤが隣接するセルに切り替える。したがって、各コンポーネントキャリヤの信号送信電力は、それぞれ、元のセルと通信するコンポーネントキャリヤの場合Ｐｔｏｔａｌ／ｎＡであり、隣接するセルに切り替えたコンポーネントキャリヤの場合Ｐｔｏｔａｌ／ｎＢである。すなわち、システム容量が次式で表される。
【００２２】
【数２】
0006006415.tif 000003
【００２３】
言い換えれば、本開示によるセル交換戦略は、既存の方式に比較して顕著な性能の向上を提供する。
【００２４】
例示的プロセス
図２は、キャリヤアグリゲーション技術に基づくＬＴＥ−アドバンストシステムのためのセル交換戦略の１つまたは複数の実施形態による処理フロー２００を示す。
【００２５】
処理フローの例２００は、ブロック２０２、２０４および２０６の１つまたは複数によって図示されるように１つまたは複数の動作、作用、または機能を含む。個別のブロックとして図示されるが、様々なブロックは、所望の実施に応じて、追加のブロックに分ける、組み合わせてより少ないブロックにする、または除去することができる。さらに、処理フロー２００は、以下に説明する、第１の基地局１１０、第２の基地局１２０、第１の基地局１１０と第２の基地局１２０とに関連した中央オフィス、および／またはコンピューティングデバイスの一例６００で実施することができる。処理フロー２００はブロック２０２から開始することができる。
【００２６】
ブロック２０２（複数のコンポーネントキャリヤのチャネル状態を監視する）は、キャリヤアグリゲーションの、それぞれ、主コンポーネントキャリヤおよび副コンポーネントキャリヤとして通信デバイスによって利用される第１のワイヤレス通信セルの第１のコンポーネントキャリヤおよび第２のコンポーネントキャリヤのチャネル状態を監視することを含む。例えば、第１の基地局１１０は、ＣＣ１およびＣＣ２が、それぞれ、ＰＣＣおよびＳＣＣとしてユーザ機器１３０によって利用されるとき、セルＡ１１５のＣＣ１およびＣＣ２のチャネル状態を監視する。
【００２７】
ブロック２０４（複数のコンポーネントキャリヤの１つを解除する）は、第２のワイヤレス通信セルの対応するコンポーネントキャリヤのチャネル状態より小さい第１および第２のコンポーネントキャリヤの一方のチャネル状態に応答して通信デバイスによる第１および第２のコンポーネントキャリヤの他方の利用を維持しながら第１および第２のコンポーネントキャリヤの一方を通信デバイスによって利用されることから解除することを含む。例えば、第１の基地局１１０は、セルＢ１２５のＣＣ１のチャネル状態より小さいセルＡ１１５のＣＣ１のチャネル状態に応答してユーザ機器１３０によるセルＡ１１５のＣＣ２の利用を維持しながらセルＡ１１５のＣＣ１をユーザ機器１３０によって利用されることから解除する。
【００２８】
少なくともいくつかの実施形態において、通信デバイスによる第１および第２のコンポーネントキャリヤの他方の利用を維持しながら第１および第２のコンポーネントキャリヤの一方を通信デバイスによって利用されることから解除する動作は、（１）第２のワイヤレス通信セルの第１のコンポーネントキャリヤのチャネル状態より小さい第１のワイヤレス通信セルの第１のコンポーネントキャリヤのチャネル状態に応答して通信デバイスによる第２のコンポーネントキャリヤの利用を維持しながら第１のコンポーネントキャリヤを通信デバイスによって利用されることから解除すること、および（２）第２のコンポーネントキャリヤを第１のワイヤレス通信セルに対して主コンポーネントキャリヤとして通信デバイスに割り当てることを含む。例えば、セルＢ１２５のＣＣ１のチャネル状態より小さいセルＡ１１５のＣＣ１のチャネル状態に応答してセルＡ１１５のＣＣ１をユーザ機器１３０によって利用されることから解除した後、第１の基地局１１０は、ＣＣ２をセルＡ１１５に対してＰＣＣとしてユーザ機器１３０に割り当てることができる。
【００２９】
少なくともいくつかの実施形態において、第２のワイヤレス通信セルの第１のコンポーネントキャリヤは、第２のワイヤレス通信セルに対して主コンポーネントキャリヤとして通信デバイスに割り当てることができる。例えば、第２の基地局１２０は、セルＢ１２５のＣＣ１をセルＢ１２５に対してＰＣＣとしてユーザ機器１３０に割り当てることができる。
【００３０】
少なくともいくつかの実施形態において、通信デバイスによる第１および第２のコンポーネントキャリヤの他方の利用を維持しながら第１および第２のコンポーネントキャリヤの一方を通信デバイスによって利用されることから解除する動作は、（１）第２のワイヤレス通信セルの第２のコンポーネントキャリヤのチャネル状態より小さい第１のワイヤレス通信セルの第２のコンポーネントキャリヤのチャネル状態に応答して通信デバイスによる第１のコンポーネントキャリヤの利用を維持しながら第２のコンポーネントキャリヤを通信デバイスによって利用されることから解除すること、および（２）第１のコンポーネントキャリヤを第１のワイヤレス通信セルに対して主コンポーネントキャリヤとして通信デバイスのために維持することを含む。例えば、第１の基地局１１０は、セルＢ１２５のＣＣ２のチャネル状態より小さいセルＡ１１５のＣＣ２のチャネル状態に応答してユーザ機器１３０によるセルＡ１１５のＣＣ１の利用を維持しながらセルＡ１１５のＣＣ２をユーザ機器１３０によって利用されることから解除することができる。
【００３１】
少なくともいくつかの実施形態において、第２のワイヤレス通信セルの第２のコンポーネントキャリヤは、第２のワイヤレス通信セルに対して主コンポーネントキャリヤとして通信デバイスに割り当てることができる。例えば、第２の基地局１２０は、セルＢ１２５のＣＣ２をセルＢ１２５に対してＰＣＣとしてユーザ機器１３０に割り当てることができる。
【００３２】
少なくともいくつかの実施形態において、ブロック２０６（複数のコンポーネントキャリヤの別の１つを解除する）は、第２のワイヤレス通信セルの別の対応するコンポーネントキャリヤのチャネル状態より小さい第１および第２のコンポーネントキャリヤの他方のチャネル状態に応答して第１および第２のコンポーネントキャリヤの他方を通信デバイスによって利用されることから解除することを含む。例えば、セルＢ１２５のＣＣ１のチャネル状態より小さいセルＡ１１５のＣＣ１のチャネル状態に応答してセルＡ１１５のＣＣ１をユーザ機器１３０によって利用されることから解除した後、第１の基地局１１０は、セルＢ１２５のＣＣ２のチャネル状態より小さいセルＡ１１５のＣＣ２のチャネル状態に応答してセルＡ１１５のＣＣ２をユーザ機器１３０によって利用されることから解除する。
【００３３】
図３は、キャリヤアグリゲーション技術に基づくＬＴＥ−アドバンストシステムのためのセル交換戦略の１つまたは複数の実施形態による処理フロー３００を示す。
【００３４】
処理フローの例３００は、１つまたは複数のブロック３０２、３０４および３０６によって図示されるように１つまたは複数の動作、作用、または機能を含む。個別のブロックとして図示されるが、所望の実施に応じて、様々なブロックを追加のブロックに分ける、組み合わせてより少ないブロックにする、または除去することができる。さらに、処理フロー３００は、第１の基地局１１０、第２の基地局１２０、第１の基地局１１０と第２の基地局１２０とに関連した中央オフィス１２０、および／またはコンピューティングデバイスの例６００で実施することができる。処理フロー３００はブロック３０２から開始することができる。
【００３５】
ブロック３０２（複数のコンポーネントキャリヤのチャネル状態を監視する）は、通信デバイスによって利用されない第１のワイヤレス通信セルの複数のコンポーネントキャリヤのチャネル状態を監視することを含む。例えば、第２の基地局１２０は、ユーザ機器１３０がまだセルＢ１２５の対象範囲内にないときユーザ機器１３０によって利用されないセルＢ１２５のＣＣ１およびＣＣ２のチャネル状態を監視する。
【００３６】
ブロック３０４（複数のコンポーネントキャリヤの１つを割り当てる）は、第２のワイヤレス通信セルの第１のコンポーネントキャリヤが第２のワイヤレス通信セルの第１のコンポーネントキャリヤのチャネル状態より大きい複数のコンポーネントキャリヤの第１のコンポーネントキャリヤのチャネル状態に応答して通信デバイスによって利用されることから解除されたとき第１のワイヤレス通信セルの複数のコンポーネントキャリヤの第１のコンポーネントキャリヤを通信デバイスによる利用に割り当てることを含む。例えば、第２の基地局１２０は、セルＡ１１５のＣＣ１のチャネル状態より大きいセルＢ１２５のＣＣ１のチャネル状態に応答してセルＢ１２５の解除のＣＣ１をユーザ機器１３０によって利用されるように割り当てる。
【００３７】
少なくともいくつかの実施形態において、第１のワイヤレス通信セルの複数のコンポーネントキャリヤの第１のコンポーネントキャリヤを通信デバイスによる利用に割り当てる動作は、第１のワイヤレス通信セルの複数のコンポーネントキャリヤの第１のコンポーネントキャリヤを第１のワイヤレス通信セルに対して主コンポーネントキャリヤとして通信デバイスによる利用に割り当てることを含む。例えば、第２の基地局１２０は、セルＢ１２５のＣＣ１をユーザ機器１３０によって利用されるように割り当てるとき解除のＣＣ１をセルＢ１２５に対してＰＣＣとなるように割り当てる。
【００３８】
少なくともいくつかの実施形態において、ブロック３０６（複数のコンポーネントキャリヤの別の１つを割り当てる）は、第２のワイヤレス通信セルの第２のコンポーネントキャリヤが第２のワイヤレス通信セルの第２のコンポーネントキャリヤのチャネル状態より大きい複数のコンポーネントキャリヤの第２のコンポーネントキャリヤのチャネル状態に応答して通信デバイスによって利用されることから解除されるとき第１のワイヤレス通信セルの複数のコンポーネントキャリヤの第２のコンポーネントキャリヤを通信デバイスによる利用に割り当てることを含む。例えば、セルＢ１２５のＣＣ１のチャネル状態より大きいセルＢ１２５のＣＣ１のチャネル状態に応答してセルＢ１２５のＣＣ１をユーザ機器１３０によって利用されるように割り当てた後、第２の基地局１２０は、セルＡ１１５のＣＣ２のチャネル状態より大きいセルＢ１２５のＣＣ２のチャネル状態に応答してセルＢ１２５のＣＣ２をユーザ機器１３０によって利用されるようにさらに割り当てる。
【００３９】
少なくともいくつかの実施形態において、第１のワイヤレス通信セルの複数のコンポーネントキャリヤの第２のコンポーネントキャリヤを通信デバイスによる利用に割り当てる動作は、第１のワイヤレス通信セルの複数のコンポーネントキャリヤの第２のコンポーネントキャリヤを第１のワイヤレス通信セルに対して副コンポーネントキャリヤとして通信デバイスによる利用に割り当てることを含む。例えば、第２の基地局１２０は、セルＢ１２５のＣＣ２をユーザ機器１３０によって利用されるように割り当てるとき解除のＣＣ２をセルＢ１２５に対してＳＣＣとなるように割り当てる。
【００４０】
図４は、キャリヤアグリゲーション技術に基づくＬＴＥ−アドバンストシステムのためのセル交換戦略の１つまたは複数の実施形態による処理フロー４００を示す。
【００４１】
処理フローの例４００は、１つまたは複数のブロック４０２、４０４、４０６および４０８によって図示されるように１つまたは複数の動作、作用、または機能を含む。個別のブロックとして図示されるが、所望の実施に応じて、様々なブロックを追加のブロックに分ける、組み合わせてより少ないブロックにする、または除去することができる。さらに、処理フロー４００は、第１の基地局１１０、第２の基地局１２０、第１の基地局１１０と第２の基地局１２０とに関連した中央オフィス、および／またはコンピューティングデバイスの例６００で実施することができる。処理フロー４００はブロック４０２から開始することができる。
【００４２】
ブロック４０２（第１のセルの複数のコンポーネントキャリヤのチャネル状態を監視する）は、第１のワイヤレス通信セルの複数のコンポーネントキャリヤのチャネル状態を監視することを含み、その場合、複数のコンポーネントキャリヤの第１のコンポーネントキャリヤは、主コンポーネントキャリヤとして通信デバイスによって利用され、複数のコンポーネントキャリヤの第２のコンポーネントキャリヤは、副コンポーネントキャリヤとして通信デバイスによって利用される。例えば、第１の基地局１１０は、セルＡ１１５に対してＣＣ１がＰＣＣとしてユーザ機器１３０によって利用され、ＣＣ２がＳＣＣとしてユーザ機器１３０によって利用されるとき、セルＡ１１５のＣＣ１およびＣＣ２のチャネル状態を監視する。
【００４３】
ブロック４０４（第２のセルの複数のコンポーネントキャリヤのチャネル状態を監視する）は、第２のワイヤレス通信セルの複数のコンポーネントキャリヤのチャネル状態を監視することを含む。例えば、第２の基地局１２０は、セルＢ１２５のＣＣ１およびＣＣ２のチャネル状態を監視する。
【００４４】
ブロック４０６（複数のコンポーネントキャリヤの１つを第１のセルから第２のセルに切り替える）は、通信デバイスによる第１のワイヤレス通信セルの第１および第２のコンポーネントキャリヤの他方の利用を維持しながら第１のワイヤレス通信セルの第１および第２のコンポーネントキャリヤの一方から第２のワイヤレス通信セルの複数のコンポーネントキャリヤの対応する一方に切り替えることを含む。例えば、これは、第２のワイヤレス通信セルの複数のコンポーネントキャリヤの対応する一方のチャネル状態より小さい第１のワイヤレス通信セルの第１および第２のコンポーネントキャリヤの一方のチャネル状態に応答して実行される。例えば、ユーザ機器１３０は、セルＢ１２５のＣＣ１のチャネル状態より小さいセルＡ１１５のＣＣ１のチャネル状態に応答してセルＡ１１５のＣＣ２の利用を維持しながらセルＡ１１５のＣＣ１を利用することからセルＢ１２５のＣＣ１を利用することへ切り替えることができる。
【００４５】
少なくともいくつかの実施形態において、切り替えの動作は、（１）第２のワイヤレス通信セルの第１のコンポーネントキャリヤのチャネル状態より小さい第１のワイヤレス通信セルの第１のコンポーネントキャリヤのチャネル状態に応答して通信デバイスによる第２のコンポーネントキャリヤの利用を維持しながら第１のコンポーネントキャリヤを通信デバイスによって利用されることから解除すること、および（２）第２のコンポーネントキャリヤを第１のワイヤレス通信セルに対して主コンポーネントキャリヤとして通信デバイスに割り当てることを含む。例えば、第１の基地局１１０は、セルＢ１２５のＣＣ１のチャネル状態より小さいセルＡ１１５のＣＣ１のチャネル状態に応答してユーザ機器１３０によるセルＡ１１５のＣＣ２の利用を維持しながらセルＡ１１５のＣＣ１をユーザ機器１３０によって利用されることから解除する。さらに、第１の基地局１１０は、セルＡ１１５のＣＣ２をセルＡ１１５に対してＰＣＣとしてユーザ機器１３０に割り当てる。少なくともいくつかの実施形態において、処理フロー４００は、第２のワイヤレス通信セルの第１のコンポーネントキャリヤを第２のワイヤレス通信セルに対して主コンポーネントキャリヤとして通信デバイスにさらに割り当てる。例えば、第２の基地局１２０は、セルＢ１２５のＣＣ１をセルＢ１２５に対してＰＣＣとしてユーザ機器１３０に割り当てる。
【００４６】
少なくともいくつかの実施形態において、切り替えの動作は、（１）第２のワイヤレス通信セルの第２のコンポーネントキャリヤのチャネル状態より小さい第１のワイヤレス通信セルの第２のコンポーネントキャリヤのチャネル状態に応答して通信デバイスによる第１のコンポーネントキャリヤの利用を維持しながら第２のコンポーネントキャリヤを通信デバイスによって利用されることから解除すること、および（２）第１のコンポーネントキャリヤを第１のワイヤレス通信セルに対して主コンポーネントキャリヤとして通信デバイスのために維持することを含む。例えば、第１の基地局１１０は、セルＢ１２５のＣＣ２のチャネル状態より小さいセルＡ１１５のＣＣ２のチャネル状態に応答してユーザ機器１３０によるセルＡ１１５のＣＣ１の利用を維持しながらセルＡ１１５のＣＣ２をユーザ機器１３０によって利用されることから解除する。さらに、第１の基地局１１０は、セルＡ１１５のＣＣ１をセルＡ１１５に対してＰＣＣとしてユーザ機器１３０のために維持する。少なくともいくつかの実施形態において、処理フロー４００は、第２のワイヤレス通信セルの第２のコンポーネントキャリヤを第２のワイヤレス通信セルに対して主コンポーネントキャリヤとして通信デバイスにさらに割り当てる。例えば、第２の基地局１２０は、セルＢ１２５のＣＣ２をセルＢ１２５に対してＰＣＣとしてユーザ機器１３０に割り当てる。
【００４７】
少なくともいくつかの実施形態において、ブロック４０８（複数のコンポーネントキャリヤの別の１つを第１のセルから第２のセルに切り替える）は、第２のワイヤレス通信セルの複数のコンポーネントキャリヤの対応する１つのチャネル状態より小さい第１のワイヤレス通信セルの第１および第２のコンポーネントキャリヤの他方のチャネル状態に応答して第１のワイヤレス通信セルの第１および第２のコンポーネントキャリヤの他方から第２のワイヤレス通信セルの複数のコンポーネントキャリヤの対応する１つにさらに切り替えることを含む。例えば、ユーザ機器１３０は、セルＢ１２５のＣＣ１のチャネル状態より小さいセルＡ１１５のＣＣ１のチャネル状態に応答してセルＡ１１５のＣＣ２の利用を維持しながらセルＡ１１５のＣＣ１を利用することからセルＢ１２５のＣＣ１を利用することに切り替える。
【００４８】
図５は、キャリヤアグリゲーション技術に基づくＬＴＥ−アドバンストシステムのためのセル交換戦略の１つまたは複数の実施形態による処理フロー５００を示す。
【００４９】
処理フローの例５００は、１つまたは複数のブロック５０２、５０４、５１０および５１２ならびにサブブロック５０６および５０８によって図示されるように１つまたは複数の動作、作用、または機能を含む。個別のブロックとして図示されるが、所望の実施に応じて、様々なブロックを追加のブロックに分ける、組み合わせてより少ないブロックにする、または除去することができる。さらに、処理フロー５００は、第１の基地局１１０、第２の基地局１２０、第１の基地局１１０と第２の基地局１２０とに関連した中央オフィス、および／またはコンピューティングデバイスの例６００で実施することができる。処理フロー５００はブロック５０２から開始することができる。
【００５０】
ブロック５０２（複数のコンポーネントキャリヤのチャネル状態を監視する）は、第１のワイヤレス通信セルの複数のコンポーネントキャリヤのチャネル状態を監視することを含む。例えば、第１の基地局１１０は、ユーザ機器１３０がセルＡ１１５の対象範囲内にあるときユーザ機器１３０によって利用される、セルＡ１１５のＣＣ１およびＣＣ２のチャネル状態を監視する。
【００５１】
ブロック５０４は、少なくともそのうちの１つをブロック５０２の後に実施することができるサブブロック５０６と５０８とを含む。
【００５２】
サブブロック５０６（複数のコンポーネントキャリヤの第１の１つを解除する）は、第２のワイヤレス通信セルの第１のコンポーネントキャリヤのチャネル状態より小さい第１のワイヤレス通信セルの第１のコンポーネントキャリヤのチャネル状態に応答して第１の通信デバイスによる第１のワイヤレス通信セルの複数のコンポーネントキャリヤの第２のコンポーネントキャリヤの利用を維持しながら第１のワイヤレス通信セルの複数のコンポーネントキャリヤの第１のコンポーネントキャリヤを第１の通信デバイスによって利用されることから解除することを含む。例えば、第１の基地局１１０は、セルＢ１２５のＣＣ１のチャネル状態より小さいセルＡ１１５のＣＣ１のチャネル状態に応答してユーザ機器１３０によるセルＡ１１５のＣＣ２の利用を維持しながらセルＡ１１５のＣＣ１をユーザ機器１３０によって利用されることから解除する。
【００５３】
サブブロック５０８（複数のコンポーネントキャリヤの第３の１つを割り当てる）は、第２のワイヤレス通信セルの第３のコンポーネントキャリヤのチャネル状態より大きい第１のワイヤレス通信セルの第３のコンポーネントキャリヤのチャネル状態に応答して第２のワイヤレス通信セルの第３のコンポーネントキャリヤが第２の通信デバイスによって利用されることから解除されるとき第１のワイヤレス通信セルの複数のコンポーネントキャリヤの第３のコンポーネントキャリヤを第２の通信デバイスによる利用に割り当てることを含む。例えば、第１の基地局１１０は、セルＢ１２５のＣＣ３（図示せず）のチャネル状態より小さいセルＡ１１５のＣＣ３のチャネル状態に応答してセルＡ１１５のＣＣ３（図示せず）を第２のユーザ機器（図示せず）によって利用されるように割り当てる。これは、第２のユーザ機器がセルＢ１２５から離れセルＡ１１５に向かって移動するときに行われる。
【００５４】
少なくともいくつかの実施形態において、第１の通信デバイスによる第１のワイヤレス通信セルの複数のコンポーネントキャリヤの第２のコンポーネントキャリヤの利用を維持しながら第１のワイヤレス通信セルの複数のコンポーネントキャリヤの第１のコンポーネントキャリヤを第１の通信デバイスによって利用されることから解除する動作は、（１）通信デバイスによる第１のワイヤレス通信セルの第２のコンポーネントキャリヤの利用を維持しながら第１のワイヤレス通信セルの第１のコンポーネントキャリヤを第１のワイヤレス通信セルに対して第１の通信デバイスによって主コンポーネントキャリヤとして利用されることから解除すること、および（２）第１のワイヤレス通信セルの第２のコンポーネントキャリヤを第１のワイヤレス通信セルに対して主コンポーネントキャリヤとして通信デバイスに割り当てることを含むことができる。例えば、セルＢ１２５のＣＣ１のチャネル状態より小さいセルＡ１１５のＣＣ１のチャネル状態に応答してセルＡ１１５のＣＣ１をユーザ機器１３０によって利用されることから解除した後、第１の基地局１１０は、ＣＣ２をセルＡ１１５に対してＰＣＣとしてユーザ機器１３０に割り当てる。
【００５５】
少なくともいくつかの実施形態において、第２のワイヤレス通信セルの第１のコンポーネントキャリヤは、第２のワイヤレス通信セルに対して主コンポーネントキャリヤとして通信デバイスに割り当てることができる。例えば、第２の基地局１２０は、セルＢ１２５のＣＣ１をセルＢ１２５に対してＰＣＣとしてユーザ機器１３０に割り当てることができる。
【００５６】
少なくともいくつかの実施形態において、第１の通信デバイスによる第１のワイヤレス通信セルの複数のコンポーネントキャリヤの第２のコンポーネントキャリヤの利用を維持しながら第１のワイヤレス通信セルの複数のコンポーネントキャリヤの第１のコンポーネントキャリヤを第１の通信デバイスによって利用されることから解除する動作は、第１のワイヤレス通信セルに対して主コンポーネントキャリヤとして通信デバイスによる第１のワイヤレス通信セルの第２のコンポーネントキャリヤの利用を維持しながら第１のワイレス通信セルの第１のコンポーネントキャリヤを第１のワイヤレス通信セルに対して副コンポーネントキャリヤとして第１の通信デバイスによって利用されることから解除することができる。例えば、最初は、セルＡ１１５のＣＣ１はＳＣＣであることができ、セルＡ１１５のＣＣ２はＰＣＣであることができ、第１の基地局１１０がユーザ機器１３０によるセルＡ１１５のＣＣ２の利用を維持しながらセルＡ１１５のＣＣ１をユーザ機器１３０によって利用されることから解除したとき、第１の基地局１１０は、セルＡ１１５に対してＣＣ１をＳＣＣとして解除し、ＣＣ２をＰＣＣとして維持する。少なくともいくつかの実施形態において、処理フロー５００では、第２のワイヤレス通信セルの第１のコンポーネントキャリヤは、第２のワイヤレス通信セルに対して主コンポーネントキャリヤとして通信デバイスに割り当てられる。例えば、第２の基地局１２０は、セルＢ１２５のＣＣ１をセルＢ１２５に対してＰＣＣとしてユーザ機器１３０に割り当てることができる。
【００５７】
少なくともいくつかの実施形態において、ブロック５１０（複数のコンポーネントキャリヤの第２の１つを解除する）は、第２のワイヤレス通信セルの第２のコンポーネントキャリヤのチャネル状態より小さい第１のワイヤレス通信セルの第２のコンポーネントキャリヤのチャネル状態に応答して第１のワイヤレス通信セルの複数のコンポーネントキャリヤの第２のコンポーネントキャリヤを第１の通信デバイスによって利用されることから解除することを含む。例えば、セルＢ１２５のＣＣ１のチャネル状態より小さいセルＡ１１５のＣＣ１のチャネル状態に応答してセルＡ１１５のＣＣ１をユーザ機器１３０によって利用されることから解除した後、第１の基地局１１０は、セルＢ１２５のＣＣ２のチャネル状態より小さいセルＡ１１５のＣＣ２のチャネル状態に応答してセルＡ１１５のＣＣ２をユーザ機器１３０によって利用されることから解除する。
【００５８】
少なくともいくつかの実施形態において、ブロック５１２（複数のコンポーネントキャリヤの第４の１つを割り当てる）は、第２のワイヤレス通信セルの第４のコンポーネントキャリヤのチャネル状態より大きい第１のワイヤレス通信セルの第４のコンポーネントキャリヤのチャネル状態に応答して第２のワイヤレス通信セルの第４のコンポーネントキャリヤが第２の通信デバイスによって利用されることから解除されるとき第１のワイヤレス通信セルの複数のコンポーネントキャリヤの第４のコンポーネントキャリヤを第２の通信デバイスによる利用に割り当てることを含む。例えば、セルＢ１２５のＣＣ３のチャネル状態より大きいセルＡ１１５のＣＣ３のチャネル状態に応答してセルＡ１１５のＣＣ３を第２のユーザ機器によって利用されるように割り当てた後、第２の基地局は、セルＢ１２５のＣＣ４（図示せず）のチャネル状態より大きいセルＡ１１５のＣＣ４のチャネル状態に応答してセルＡ１１５のＣＣ４（図示せず）をユーザ機器によって利用されるようにさらに割り当てる。
【００５９】
本明細書に説明するセル交換戦略は、隣接するセルのコンポーネントキャリヤのチャネル状態を監視する。該当する２つのセルの間のコンポーネントキャリヤの各々のチャネル状態にかかわらずユーザ機器によって利用されるコンポーネントキャリヤのすべてを１つのセルから別のセルに切り替えるのではなく、セル交換戦略は、元のセルのチャネル状態より大きい新たなセルのコンポーネントキャリヤのチャネル状態に応答してコンポーネントキャリヤを元のセルから新たなセルに切り替えることを求める。他方、セル交換戦略は、新たなセルのチャネル状態より大きい元のセルのコンポーネントキャリヤのチャネル状態に応答してコンポーネントキャリヤを元のセルに対して維持する。結果として、ユーザ機器は、より良好なチャネル状態を有するコンポーネントキャリヤを使用して信号を送信する。これにより、セル交換の間、システムの性能が向上する。さらに、各セルのコンポーネントキャリヤの数が低減し、各コンポーネントキャリヤの送信電力が増大し、システムの性能がさらに向上する。したがって、ユーザが円滑なデータ通信によるより高いシステム容量を享受することができるので、より良好なユーザ体験を達成することができる。
【００６０】
例示的コンピューティングデバイス
図６は、キャリヤアグリゲーション技術に基づくＬＴＥ−アドバンストシステムのためのセル交換戦略の１つまたは複数の実施形態の動作を実施するように構成されるコンピューティングデバイスの一例６００を示す。
【００６１】
本明細書に開示する技法は、他のコンピューティングデバイス、システム、および環境で実施できることが容易に理解されよう。図６に示すコンピューティングデバイス６００は、コンピューティングデバイスの一例であり、コンピュータおよびネットワークアーキテクチャの使用または機能性の範囲に関していかなる限定も提案することを意図していない。
【００６２】
少なくとも１つの実施において、コンピューティングデバイス６００は、典型的には、少なくとも１つの処理ユニット６０２と、システムメモリ６０４とを含む。コンピューティングデバイスの正確な構成および種類に応じて、システムメモリ６０４は、揮発性（ＲＡＭなど）、不揮発性（ＲＯＭ、フラッシュメモリなど）または何らかのそれらの組合せでよい。システムメモリ６０４は、オペレーティングシステム６０６と、１つまたは複数のプログラムモジュール６０８とを含むことができ、プログラムデータ６１０を含むことができる。コンピューティングデバイス６００の基本的な実施は、破線６１４によって画定される。少なくとも１つの実施形態において、コンピューティングデバイス６００は、第１の基地局１１０、第２の基地局１２０、および／または第１の基地局１１０と第２の基地局１２０とに関連した中央オフィスの一部でよい。少なくとも別の１つの実施形態において、コンピューティングデバイス６００は、第１の基地局１１０、第２の基地局１２０および／または第１の基地局１１０と第２の基地局１２０に関連した中央オフィスに通信可能に結合されたコンピューティングデバイスでよい。
【００６３】
プログラムモジュール６０８は、上述のキャリヤアグリゲーション技術に基づくＬＴＥ−アドバンストシステムのためのセル交換戦略を実施するように構成されたモジュール６１２を含むことができる。例えば、モジュール６１２は、処理ユニット６０２によって実行されたとき、処理ユニット６０２に処理フロー２００、３００、４００および／または５００ならびにその任意の変形、例えば、コンピューティングデバイス６００が処理フロー２００、３００、４００および／または５００に関して上述の動作を実施することを遂行させることができるコンピュータ実行可能命令またはプログラムコードの組を含む。
【００６４】
コンピューティングデバイス６００は、追加の特徴または機能性を有することができる。例えば、コンピューティングデバイス６００は、取外し式ストレージ６１６および非取外し式ストレージ６１８など、追加のデータストレージデバイスも含むことができる。少なくともいくつかの実施形態において、取外し式ストレージ６１６および非取外し式ストレージ６１８は、上述の様々な機能を実施するために処理ユニット６０２によって実行可能であるコンピュータ実行可能命令またはプログラムコードを格納するためのコンピュータアクセス可能媒体の一例である。一般に、図を参照して説明する機能のいずれかは、ソフトウェア、ファームウェア、ハードウェア（例えば、固定論理回路）またはこれらの実施の組合せを使用して実施することができる。プログラムコードは、１つまたは複数のコンピュータアクセス可能媒体または他のコンピュータ可読ストレージデバイスに格納することができる。したがって、本明細書に説明するプロセスおよび構成部品は、コンピュータブログラム製品によって実施することができる。前述のように、コンピュータアクセス可能媒体は、コンピュータ可読命令、データ構造、プログラムモジュール、または他のデータなどの情報の格納のために任意の方法または技術で実施される揮発性および不揮発性、取外し式および非取外し式媒体を含む。「コンピュータアクセス可能媒体（ｍｅｄｉｕｍ）」および「コンピュータアクセス可能媒体（ｍｅｄｉａ）」という用語は、持続性ストレージデバイスを表し、限定はされないが、ＲＡＭ、ＲＯＭ、ＥＥＰＲＯＭ、フラッシュメモリもしくは他のメモリ技術、ＣＤ−ＲＯＭ、デジタル多用途ディスク（ＤＶＤ）もしくは他の光ストレージ、磁気カセット、磁気テープ、磁気ディスクストレージもしくは他の磁気ストレージデバイス、またはコンピューティングデバイス、例えば、コンピューティングデバイス６００によるアクセスのために情報を格納するのに使用することができる任意の他の持続性媒体を含む。このようなコンピュータアクセス可能媒体のいずれかは、コンピューティングデバイス６００の一部でよい。
【００６５】
１つの実施において、コンピュータアクセス可能媒体である取外し式ストレージ６１６は、それに格納されたコンピュータ実行可能命令の組６３０を有する。処理ユニット６０２によって実行されるとき、コンピュータ実行可能命令の組６３０により、処理ユニット６０２が処理フロー２００、３００、４００および／または５００ならびにそれらの任意の変形を含む上述の動作、タスク、機能および／または方法を実行する。
【００６６】
コンピューティングデバイス６００は、キーボード、マウス、ペン、音声入力デバイス、タッチ入力デバイスなど、１つまたは複数の入力デバイス６２０も含むことができる。コンピューティングデバイス６００は、ディスプレイ、スピーカ、プリンタなど、１つまたは複数の出力デバイス６２２をさらに含むことができる。
【００６７】
コンピューティングデバイス６００は、コンピューティングデバイス６００がネットワーク接続６２８にわたって装置６５０と通信することが可能になる１つまたは複数の通信接続部６２４を含むこともできる。装置６５０は、第１の基地局１１０、第２の基地局１２０、または第１の基地局１１０と第２の基地局１２０とに関連した中央オフィスでよい。このような場合、コンピューティングデバイス６００は、第１の基地局１１０、第２の基地局１２０、または第１の基地局１１０と第２の基地局１２０とに関連した中央オフィスの動作を制御するためにオペレータによって使用されるコンピューティングデバイスでよい。
【００６８】
プログラムモジュール６０８のモジュール６１２に格納されていてもまたは取外し式ストレージ６１６に格納されていても、コンピュータ実行可能命令の組を実行すると、処理ユニット６０２は、処理フロー２００、３００、４００および／または５００ならびにそれらの任意の変形を含む、上述のキャリヤアグリゲーション技術に基づくＬＴＥ−アドバンストシステムのためのセル交換戦略を実施するためにいくつかの動作を遂行するようにコンピューティングデバイス６００または装置６５０に指示することができる。
【００６９】
図示するコンピューティングデバイス６００は、適切なデバイスの一例であり、説明する様々な実施形態の使用または機能性の範囲に関していかなる限定も提案することを意図していないことが理解される。
【００７０】
追加のおよび代替の実施の注記
例示的な実施の上記説明において、例示のためとして、具体的な数字、材料、構成、および他の詳細は、特許請求されるように、本発明をより良く説明するために記載される。しかし、特許請求される本発明が本明細書に説明する例示的な詳細とは異なる詳細を使用して実施できることが当業者には明らかであろう。他の場合には、よく知られた特徴は、例示的な実施の説明を明確にするために省略されまたは簡略化される。
【００７１】
本発明者は、説明した例示的な実施が主として例であることを意図する。本発明者は、これらの例示的な実施が添付の特許請求の範囲を限定することを意図しない。むしろ、本発明者は、特許請求される本発明が、他の現在のまたは将来の技術と併せて、他のやり方で具現化されかつ実施され得ることも企図している。
【００７２】
さらに、「例示的な」という用語は、本明細書では、例、事例、または例示として働くことを意味するのに用いられる。「例示的な」として本明細書に説明する任意の態様または設計は、必ずしも他の態様または設計より好ましいまたは有利であると解釈されない。むしろ、例示的なという用語の使用は、具体的なやり方で概念および技法を提示することが意図されている。例えば、「技法」という用語は、１つまたは複数のデバイス、装置、システム、方法、製造品、および／または本明細書に説明する文脈によって指示されるコンピュータ可読命令を表すことができる。
【００７３】
本明細書では、「または」という用語は、排他的な「または」ではなく包含的な「または」を意味することを意図している。すなわち、他の指定がない限り、または文脈から明白なように、「ＸはＡまたはＢを採用する」は、自然な包含的順列のいずれかを意味することを意図している。すなわち、ＸはＡを採用する、ＸはＢを採用する、またはＸはＡとＢとの両方を採用するならば、「ＸはＡまたはＢを採用する」が、前述の事例のいずれかの下で満足される。さらに、冠詞「１つの（ａ）」および「１つの（ａｎ）」は、本明細書および添付の特許請求の範囲では、一般に、他の指定がない限りまたは単数形を対象とする文脈から明白ではない限り「１つまたは複数の」を意味すると解釈すべきである。
【００７４】
本明細書で論じる例示的なプロセスは、ハードウェア、ソフトウェア、ファームウェア、またはそれらの任意の組合せで実施することができる動作のシーケンスを表す、論理的なフロー図にブロックの集合として示される。ソフトウェア／ファームウェアの関係において、ブロックは、１つまたは複数のプロセッサによって実行されるとき、記述された動作を実施する１つまたは複数のプロセッサ可読ストレージ媒体に格納された命令を表す。例示的なプロセスの動作は、Ｃ／Ｃ＋＋、Ｆｏｒｔｒａｎ、ＣＯＢＯＬ、ＰＡＳＣＡＬ，アセンブリ言語、マークアップ言語（例えば、ＨＴＭＬ、ＳＧＭＬ，ＸＭＬ，ＶｏＸＭＬ）など、ならびに共通オブジェクトリクエストブローカーアーキテクチャ（ＣＯＲＢＡ）、Ｊａｖａ（登録商標）（Ｊ２ＭＥ、Ｊａｖａ（登録商標）  Ｂｅａｎｓなどを含む）、バイナリランタイム環境（ＢＲＥＷ）などのオブジェクト指向環境（例によると、限定ではなく）を含むほぼどんなプログラミング言語または環境でも提供することができる。
【００７５】
プロセスが説明される順序は、限定として解釈することを意図していないし、かつ説明したプロセスブロックの任意の数は、任意の順序で組み合わせてプロセスまたは代替プロセスを実施することができる。さらに、個々のブロックは、本明細書に説明する主題の精神および範囲を逸脱することなくプロセスから削除することができる。
【００７６】
「プロセッサ可読媒体」という用語は、プロセッサストレージ媒体を含む。例えば、プロセッサストレージ媒体は、限定はされないが、磁気ストレージ媒体（例えば、ハードディスク、フロッピー（登録商標）ディスク、および磁気ストライプ）、光ディスク（例えば、コンパクトディスク（ＣＤ））およびデジタル多用途ディスク（ＤＶＤ）、スマートカード、フラッシュメモリデバイス（例えば、サムドライブ、スティック、キードライブ、およびＳＤカード）ならびに揮発性および不揮発性メモリ（例えば、ランダムアクセスメモリ（ＲＡＭ）、読み出し専用メモリ（ＲＯＭ））を含むことができる。
【００７７】
本開示および以下に続く特許請求の範囲の目的のために、「結合された」および「接続された」という用語は、様々な要素がどのようにインターフェースするかを説明するために使用されることがあった。様々な要素のこのような説明されたインターフェーシングは、直接的または間接的のいずれかであり得る。
【図１】
0006006415.tif 000004
【図２】
0006006415.tif 000005
【図３】
0006006415.tif 000006
【図４】
0006006415.tif 000007
【図５】
0006006415.tif 000008
【図６】
0006006415.tif 000009